(57)【要約】【課題】壁面照明装置の設置作業又は保守作業をかご室内から簡易に行えるエレベーターの乗りかごを提供する。【解決手段】エレベーターの乗りかご４に、乗りかご４を構成する側板１３の一部に設けられ、乗りかご４の室内より取り付け及び取り外しが可能であるように構成された幅木１７と、側板１３の他の一部に備えられた壁面照明用の透光板１５と、透光板１５に照明光を照射する光源３５及び光源３５の調整機構３２、３４を有する壁面照明装置３０と、を備える。壁面照明装置３０は、乗りかご４の室外であって、側板１３から幅木１７を取り外すことにより乗りかご４の室内から作業が可能となる位置に設置する。【選択図】図４
2019123567.tif 000002
【特許請求の範囲】
【請求項１】
乗りかごを構成する側板の一部に設けられ、前記乗りかごの室内より取り付け及び取り外しが可能であるように構成された幅木と、
前記側板の他の一部に備えられた壁面照明用の透光板と、
前記透光板に照明光を照射する光源及び前記光源の調整機構を有する壁面照明装置と、を備え、
壁面照明装置は、前記乗りかごの室外であって、前記側板から前記幅木を取り外すことにより前記乗りかごの室内から作業が可能となる位置に設置されていることを特徴とするエレベーターの乗りかご。
【請求項２】
請求項１に記載のエレベーターの乗りかごにおいて、
前記調整機構は、前記透光板に対する前記光源の設定位置を調整する第１調整機構と、前記透光板に対する前記照明光の照射角度を調整する第２調整機構と、を有し、
前記第１調整機構は、前記乗りかごの床板に対して摺動可能に設置され、前記第２調整機構は、前記第１調整機構に対して回動可能に設置されていることを特徴とするエレベーターの乗りかご。
【請求項３】
請求項２に記載のエレベーターの乗りかごにおいて、
前記第１調整機構は、前記光源の摺動部材である第１のジャッキボルトに連接され、
前記第２調整機構は、前記光源の回動部材である第２のジャッキボルトに連接されていることを特徴とするエレベーターの乗りかご。
【請求項４】
請求項３に記載のエレベーターの乗りかごにおいて、
前記第１調整機構及び前記第２調整機構は、前記乗りかごの床板に摺動可能に設置された照明ボックスに搭載されており、
前記照明ボックスと前記照明ボックスの背面側に配置された固定部材との間には、前記照明ボックスを常時前記第１のジャッキボルト側に付勢する第１の付勢部材が備えられ、
前記第２調整機構と前記照明ボックスとの間には、前記第２調整機構を常時前記第２のジャッキボルト側に付勢する第２の付勢部材が備えられていることを特徴とするエレベーターの乗りかご。
【請求項５】
請求項４に記載のエレベーターの乗りかごにおいて、
前記照明ボックスに付与される前記第１の付勢部材の付勢力をＡ、前記第２調整機構に付与される前記第２の付勢部材の付勢力をＢとしたとき、Ａ＞Ｂとなるように、前記第１の付勢部材の付勢力Ａ及び前記第２の付勢部材の付勢力Ｂが調整されていることを特徴とするエレベーターの乗りかご。
【請求項６】
請求項４又は５のいずれか１項に記載のエレベーターの乗りかごにおいて、
前記乗りかごの床板と前記照明ボックスとの間に、前記乗りかごの床板からの前記照明ボックスの浮き上がりを防止するためのストッパー部材及び保持部材を備えたことを特徴とするエレベーターの乗りかご。
【請求項７】
請求項４又は６のいずれか１項に記載のエレベーターの乗りかごにおいて、
前記第１のジャッキボルト及び前記第２のジャッキボルトの一方又は双方の先端に係止駒を螺合し、前記係止駒が螺合された少なくともいずれか一方のジャッキボルトと前記係止駒との間に形成される段差部に、前記照明ボックス又は前記調整機構を係合したことを特徴とするエレベーターの乗りかご。
【発明の詳細な説明】
【技術分野】
【０００１】
本発明は、壁面照明装置を備えたエレベーターの乗りかごに関する。
【背景技術】
【０００２】
従来、壁面照明装置を備えたエレベーターの乗りかごとしては、かご室の壁面に配置された面発光板を通して面発光板の端面に設置された光源からの光を面発光させ、面発光板の裏に設けられた模様付き反射板に反射させて、面発光板の前面に模様を影として映し出すものが知られている（特許文献１参照）。
【０００３】
特許文献１には、上記構成によると小さいスペースで奥行きの空間を感じさせる演出ができる補助照明装置をエレベーターの乗りかごに設置できる、と記載されている。
【先行技術文献】
【特許文献】
【０００４】
【特許文献１】特開平７−２３２８８３号公報
【発明の概要】
【発明が解決しようとする課題】
【０００５】
しかしながら、従来の壁面照明装置を備えたエレベーターの乗りかごは、かご壁面の裏側（かご室の外側）に模様を映し出すためのスクリーンが配置され、その外側に蛍光灯及び面発光板が配置され、さらにその外側に模様付き反射板が配置されており、スクリーンがかご室内から取り外せない構成となっているので、壁面照明装置の設置作業又は保守作業をかご室内において行うことが不可能であるか、著しく困難である。
【０００６】
即ち、例えば蛍光灯の交換や取付位置等の調整或いは模様付き反射板の交換や取付角度等の調整が必要となった場合、従来においては、まず作業者が一旦昇降路側に出て必要な作業を行い、作業終了後、作業者がかご室内に戻って作業の結果を確認するという手順を場合によっては複数回繰り返さなくてはならず、効率的に壁面照明装置の保守作業を行うことが困難である。
【０００７】
なお、昇降路側とかご室内とにそれぞれ作業員とを配置し、これら複数の作業員が協同して保守作業を行うようにすれば作業時間を短縮化することはできるが、実際には配置できる作業員の数に限りがあるため、壁面照明装置の保守作業に複数の作業員を配置することは困難である。このような問題は、壁面照明装置の設置時にも同様に生じる。
【０００８】
本発明は、前記従来技術の課題に鑑みて為されたものであり、その目的は、壁面照明装置の設置作業又は保守作業をかご室内から簡易に行えるエレベーターの乗りかごを提供することにある。
【課題を解決するための手段】
【０００９】
前記目的を達成するために、本発明の一態様は、乗りかごを構成する側板の一部に設けられ、前記乗りかごの室内より取り付け及び取り外しが可能であるように構成された幅木と、前記側板の他の一部に備えられた壁面照明用の透光板と、前記透光板に照明光を照射する光源及び前記光源の調整機構を有する壁面照明装置と、を備え、壁面照明装置は、前記乗りかごの室外であって、前記側板から前記幅木を取り外すことにより前記乗りかごの室内から作業が可能となる位置に設置されていることを特徴とする。
【発明の効果】
【００１０】
本発明によれば、エレベーターの乗りかごに対する壁面照明装置の設置作業及び保守作業を乗りかごの室内からのみ行うことができる。上記した以外の課題、構成及び効果は、以下に記載する実施形態の説明により明らかにされる。
【図面の簡単な説明】
【００１１】
【図１】本発明が適用されるエレベーターの概略構成図である。
【図２】実施形態に係る乗りかごの外観を示す斜視図である。
【図３】実施形態に係る乗りかごの室内の構成を示す要部斜視図である。
【図４】実施形態に係る乗りかごの壁面照明装置設定部の構成を示す正断面図である。
【図５】図４のＡ−Ａ矢視図である。
【図６】実施形態に係る乗りかごの壁面照明装置設定部の構成を示す側断面図である。
【図７】実施形態に係るジャッキボルトの他の例を示す図である。
【発明を実施するための形態】
【００１２】
以下、本発明に係る乗りかごの実施形態を図に基づいて説明する。
【００１３】
図１は、本発明に係る乗りかごが適用されるエレベーターの概略構成図である。図１に示すように、本例のエレベーター１は、巻上機２に巻き付けられた主索３の両端に乗りかご４と釣り合いおもり５とを連結してなり、巻上機２を駆動することにより、主索３を介して乗りかご４及び釣り合いおもり５を昇降路内で昇降させるようになっている。なお、図１には、１：１ローピング方式のエレベーター１を示したが、例えば２：１ローピング方式等、他のローピング方式のエレベーター装置にも適用できる。
【００１４】
図２は実施形態に係る乗りかごの外観を示す斜視図、図３は実施形態に係る乗りかごの室内の構成を示す斜視図である。図２及び図３に示すように、実施形態に係る乗りかご４は、天井１１、床板１２及び側板１３をもって箱型に形成されており、側板１３の一部には、開閉扉１４が備えられている。また、図３に示すように、側板１３の一面には、乗りかご４の室内から目視可能な壁面照明用の透光板１５が設置されている。透光板１５には、乗りかご４内のデザイン上のアクセントとなる模様１６が設けられている。さらに、透光板１５の下方には、乗りかご４の室内より取り付け及び取り外しが可能であるように構成された幅木１７が設けられている。
【００１５】
図４は実施形態に係る乗りかごの壁面照明装置設定部の構成を示す正断面図、図５は図４のＡ−Ａ矢視図である。図４及び図５に示すように、側板１３には、透光板１５が設置される上開口部２１と、幅木１７が設置される下開口部２２と、が設けられている。透光板１５は、上開口部２１の室外側の面に設けられた目地２３に嵌め込まれ、外面が側板１３とほぼ面一に設置されている。
【００１６】
幅木１７は、前面板１７ａと下面板１７ｂとから構成されており、下開口部２２の室外側に設けられた床枠２４に取り付けられている。床枠２４は、上部水平板２４ａと垂直板２４ｂと下部水平板２４ｃとから構成されており、上部水平板２４ａがボルト２５をもって側板１３に固定されると共に、下部水平板２４ｃがボルト２５をもって乗りかご４の床板１２に固定されている。床枠２４を構成する垂直板２４ｂの上部にはマグネット２６が固定され、幅木１７にはマグネット２６によって磁気的に吸引される磁性部材２７が固定されている。従って、幅木１７は、下面板１７ｂを乗りかご４の床板１２上の所定位置に載置した状態で、磁性部材２７をマグネット２６に吸着させることにより、乗りかご４の室内側から側板１３に取り付けることができる。また、幅木１７は、側板１３と幅木１７との間に形成される隙間にマイナスドライバー等の工具を差し込んで、マグネット２６から磁性部材２７を引き剥す方向に力を加えることにより、乗りかご４の室内側から取り外すことができる。
【００１７】
乗りかご４の室外側には、側板１３との間に所定の間隔を隔て、かつ透光板１５と平行に反射板２８が立設されている。また、側板１３と反射板２８との間の床板１２上には、壁面照明装置３０が設置されている。反射板２８は、ボルト２５をもって乗りかご４の床板１２に固定される。なお、反射板２８の透光板１５との対向面には、後述する光源３５から出射される照明光Ｌ１の反射効率を高めるため、白色の塗装を施すことが望ましい。
【００１８】
壁面照明装置３０は、図４に示すように、乗りかご４の床板１２上に摺動自在に載置された照明ボックス３１と、照明ボックス３１の上面に固定された第１調整機構３２と、第１調整機構３２に一端が回動自在にピン結合されたリンク部材３３と、リンク部材３３の他端部に回動自在にピン結合された第２調整機構３４と、第２調整機構３４の上面に設置された光源３５と、を有している。光源３５としては、長寿命にして各色の照明光Ｌ１を出射可能であることから発光ダイオードが好適に用いられるが、これに限定されるものではない。
【００１９】
床枠２４の垂直板２４ｂには、第１の溶接ナット４１及び第２の溶接ナット４２が溶接されており、第１の溶接ナット４１には第１のジャッキボルト４３が螺合され、第２の溶接ナット４２には第２のジャッキボルト４４が螺合されている。また、第１のジャッキボルト４３には、第１の締付ナット４５が螺合され、第２のジャッキボルト４４には、第２の締付ナット４６が螺合されている。そして、第１のジャッキボルト４３の先端は、第１調整機構３２に当接され、第２のジャッキボルト４４の先端は、第２調整機構３４に当接されている。
【００２０】
また、照明ボックス３１と反射板２８との間には、照明ボックス３１を常時第１のジャッキボルト４３側に付勢する第１の付勢部材４７が備えられ、照明ボックス３１と第２調整機構３４との間には、第２調整機構３４を常時第２のジャッキボルト４４側に付勢する第２の付勢部材４８が備えられている。ここで、照明ボックス３１に付与される第１の付勢部材４７の付勢力（Ａ）と第２調整機構３４に付与される第２の付勢部材４８の付勢力（Ｂ）との関係は、Ａ＞Ｂとなるように調整される。
【００２１】
図６は、実施形態に係る乗りかごの壁面照明装置設定部の構成を示す側断面図である。図６に示すように、照明ボックス３１の対向する２つの側面には、ストッパー部材５１が外向きに突設されており、乗りかご４の床板１２には、ストッパー部材５１を安定に保持するための保持部材５２が設けられている。ストッパー部材５１は、照明ボックス３１の側面に溶接により固定され、保持部材５２は、乗りかご４の床板１２にボルト２５を用いて固定される。ストッパー部材５１に対する保持部材５２の係合は、乗りかご４の床板１２上に照明ボックス３１を位置決めして設定した後、ストッパー部材５１に一端が係合された保持部材５２の他端を乗りかご４の床板１２にボルト締めすることにより行うことができる。
【００２２】
以下、壁面照明装置３０の操作方法について説明する。
【００２３】
透光板１５と反射板２８との間に壁面照明装置３０を配置し、壁面照明装置３０に搭載された光源３５から出射される照明光Ｌ１を反射板２８で反射させ、反射板２８の反射光Ｌ２で透光板１５を間接照明するタイプの照明装置においては、透光板１５に表示された模様１６を最善の状態で浮かび上がらせるための光源３５の設定位置及び設定角度を設計段階で決定することが困難であり、しばしば現地合わせが必要となる。従って、光源３５の設定位置及び設定角度の調整を容易に行えるようにすることは、実務上極めて重要である。
【００２４】
〈幅木１７の取り外し〉
透光板１５及び反射板２８に対する光源３５の位置調整に際しては、乗りかご４の側板１３から幅木１７を取り外す必要がある。幅木１７を取り外しは、側板１３と幅木１７との間に形成される隙間にマイナスドライバー等の工具を差し込んで、マグネット２６から磁性部材２７を引き剥す方向に力を加えることにより行うことができる。幅木１７を取り外すことにより、側板１３に下開口部２２が開口される。従って、作業員は、乗りかご４の室内から下開口部２２を通して乗りかご４の室外に手を挿し入れることにより、壁面照明装置３０の操作が可能になる。
【００２５】
〈光源３５の位置調整〉
透光板１５及び反射板２８に対する光源３５の位置調整に際しては、第１の締付ナット４５を緩めた後、第１調整機構３２を移動させたい方向に第１のジャッキボルト４３を回転する。即ち、第１のジャッキボルト４３が右ねじである場合であって、第１調整機構３２を反射板２８側に移動させる場合には、第１のジャッキボルト４３を右回転する。これにより、第１のジャッキボルト４３が床枠２４にねじ込まれ、図５に示すように第１調整機構３２が第１の付勢部材４７の付勢力に抗して反射板２８側に移動される。また、第１調整機構３２を透光板１５側に移動させる場合には、第１のジャッキボルト４３を左回転する。これにより、第１のジャッキボルト４３が床枠２４からねじ戻され、第１調整機構３２が第１の付勢部材４７の付勢力により押圧されて透光板１５側に移動される。
【００２６】
このように、第１調整機構３２には、照明ボックス３１を介して第１の付勢部材４７の付勢力が常時付与されているので、第１のジャッキボルト４３を回転操作しても第１調整機構３２が動揺せず、第１調整機構３２を所望の位置に的確に設定できる。第１調整機構３２の設定位置が決まった後は、第１の締付ナット４５を床枠２４に締め付けて、第１のジャッキボルト４３を固定する。これにより、透光板１５及び反射板２８に対する光源３５の位置を調整できる。
【００２７】
〈光源３５の角度調整〉
透光板１５及び反射板２８に対する光源３５の角度調整に際しては、第２の締付ナット４６を緩めた後、第２調整機構３４を傾斜させたい方向に第２のジャッキボルト４４を回転する。即ち、第２のジャッキボルト４４が右ねじである場合であって、第２調整機構３４を反射板２８側に傾斜させる場合には、第２のジャッキボルト４４を右回転する。これにより、第１のジャッキボルト４３が床枠２４にねじ込まれ、第２調整機構３４が第２の付勢部材４８の付勢力に抗して反射板２８側に移動する。第２調整機構３４は、リンク部材３３に連結されているので、第２調整機構３４が反射板２８側に移動すると、図５に示すようにリンク部材３３の回動に伴って反射板２８側に傾斜する。また、第２調整機構３４を透光板１５側に移動させる場合には、第２のジャッキボルト４４を左回転する。これにより、第２のジャッキボルト４４がねじ戻され、第２調整機構３４が第２の付勢部材４８の付勢力により押圧されて透光板１５側に移動する。従って、第２調整機構３４は、リンク部材３３の回動に伴って透光板１５側に傾斜する。
【００２８】
このように、第２調整機構３４には、第２の付勢部材４８の付勢力が常時付与されているので、第２のジャッキボルト４４を回転操作しても第２調整機構３４が動揺せず、第２調整機構３４を所望の傾斜角度に的確に設定できる。第２調整機構３４の設定位置が決まった後は、第２の締付ナット４６を床枠２４に締め付けて第２のジャッキボルト４４を固定する。これにより、透光板１５及び反射板２８に対する光源３５の角度を調整できる。
【００２９】
〈幅木１７の取り付け〉
壁面照明装置３０による光源３５の位置調整及び角度調整が完了した後は、側板１３の下開口部２２に、幅木１７を取り付ける必要がある。幅木１７の取り付けは、幅木１７の下面板１７ｂを乗りかご４の床板１２上の所定位置に載置した状態で、下開口部２２を閉じる方向に幅木１７の上辺側を移動する。これにより、幅木１７の外面に固定された磁性部材２７がマグネット２６に吸着され、幅木１７が安定に保持される。
【００３０】
以下、実施形態に係るエレベーターの乗りかご４の効果を列挙する。
【００３１】
（１）実施形態に係るエレベーターの乗りかご４は、側板１３に下開口部２２を設け、乗りかご４の室外であって下開口部２２の近傍に壁面照明装置３０を設置したので、作業員は、乗りかご４の室内から下開口部２２を通して室外に手を差し出すことにより、壁面照明装置３０の調整作業を行うことができる。また、壁面照明装置３０の設置作業についても、同様の方法で行うことができる。よって、壁面照明装置３０の設置作業、調整作業及び確認作業を１人の作業員が乗りかご４の室内のみから行うことができ、作業の効率化を図ることができる。
【００３２】
（２）実施形態に係るエレベーターの乗りかご４は、壁面照明装置３０に光源３５の位置を調整するための第１調整機構３２と、光源３５の角度を調整するための第２調整機構３４とを一体に備えたので、壁面照明装置３０をコンパクトに作製できる。
【００３３】
（３）実施形態に係るエレベーターの乗りかご４は、壁面照明装置３０に第１及び第２のジャッキボルト４３、４４を備え、これら第１及び第２のジャッキボルト４３、４４を操作するだけで光源３５の位置調整と角度調整とを行えるようにしたので、光源３５の調整作用を容易に行うことができる。
【００３４】
（４）実施形態に係るエレベーターの乗りかご４は、第１及び第２の調整機構３２、３４を照明ボックス３１に搭載し、照明ボックス３１と反射板２８（固定部材）との間に、第１調整機構３２を第１のジャッキボルト４３側に付勢する第１の付勢部材４７を備えると共に、第２調整機構３４と照明ボックス３１との間に、第２調整機構３４を第２のジャッキボルト４４側に付勢する第２の付勢部材４８を備えたので、調整時における第１及び第２の調整機構３２、３４の動揺を防止又は抑制することができて、光源３５の位置調整及び角度調整を正確に行うことができる。また、第１及び第２の調整機構３２、３４を照明ボックス３１に搭載したので、壁面照明装置３０をコンパクトに構成できる。
【００３５】
（５）実施形態に係るエレベーターの乗りかご４は、第１の付勢部材４７の付勢力を第２の付勢部材４８の付勢力よりも大きくしたので、第２調整機構３４の調整時に第１調整機構３２が動揺せず、第１及び第２の調整機構３２、３４の調整を容易かつ確実に行うことができる。
【００３６】
（６）実施形態に係るエレベーターの乗りかご４は、乗りかご４の床板１２と照明ボックス３１との間に、照明ボックス３１の跳ね上がりを防止するためのストッパー部材５１及び保持部材５２を備えたので、乗りかご４の非常停止等に伴う壁面照明装置３０の跳ね上がりを防止又は抑制できて、乗りかご４の床板１２に壁面照明装置３０を安定に保持できる。また、本構成によると、乗りかご４の床板１２と照明ボックス３１との間及びストッパー部材５１と保持部材５２との間の双方に摩擦力が作用するので、乗りかご４の床板１２に沿う方向への照明ボックス３１の移動も防止できる。
【００３７】
なお、本発明は前述した実施形態に限定されるものではなく、特許請求の範囲に記載した本発明の要旨を逸脱しない限りにおいて、種々変更した形態を含むものである。例えば前記実施形態においては、第１のジャッキボルト４３の先端に第１調整機構３２を突き当てると共に、第２のジャッキボルト４４の先端に第２調整機構３４を突き当てたが、図７に示すように、第１及び第２のジャッキボルト４３、４４の先端部に係止駒５３を螺合し、第１及び第２のジャッキボルト４３、４４と係止駒５３との間に形成される段差部に、照明ボックス３１又は第２調整機構３２を係合する構成とすることもできる。本構成によれば、第１及び第２の付勢部材４７、４８の省略も可能となる。なお、係止駒５３は、第１のジャッキボルト４３及び第２のジャッキボルト４４のいずれか一方にのみ備えることもできる。
【００３８】
また、前記実施形態においては、側板１３と幅木１７の接合部材としてマグネット２６及び磁性部材２７を用いたが、これに代えて面ファスナー等の接合部材を用いることもできる。
【符号の説明】
【００３９】
１…エレベーター、２…巻上機、３…主索、４…乗りかご、５…釣り合いおもり、１１…天井、１２…床板、１３…側板、１４…開閉扉、１５…透光板、１６…模様、１７…幅木、２１…上開口部、２２…下開口部、２３…目地、２４…床枠、２５…ボルト、２６…マグネット、２７…磁性部材、２８…反射板、３０…壁面照明装置、３１…照明ボックス、３２…第１調整機構、３３…リンク部材、３４…第２調整機構、３５…光源、４１…第１の溶接ナット、４２…第２の溶接ナット、４３…第１のジャッキボルト、４４…第２のジャッキボルト、４５…第１の締付ナット、４６…第２の締付ナット、４７…第１の付勢部材、４８…第２の付勢部材、５１…ストッパー部材、５２…保持部材、５３…係止駒。
【図１】
2019123567.tif 000003
【図２】
2019123567.tif 000004
【図３】
2019123567.tif 000005
【図４】
2019123567.tif 000006
【図５】
2019123567.tif 000007
【図６】
2019123567.tif 000008
【図７】
2019123567.tif 000009